(57)【要約】【課題】  露出の設定に係る操作が煩雑になることを抑制しつつ、ユーザが意図した露出を設定可能とすること。【解決手段】  複数の露出制御値の制御方法が異なる複数の撮影モードを有し、第１の操作部材を用いたユーザの操作に応じて撮影モードの遷移を制御する第１の制御手段と、第２の操作部材を用いたユーザの操作に応じて露出制御値の変更を制御する第２の制御手段とを有し、複数の撮影モードは、任意の露出制御値をユーザが固定値に設定し他の露出制御値を自動値に設定する第１のモードと、露出制御値を自動値に設定する第２のモードと、露出制御値を固定値および自動値に設定できる第３のモードとを含み、第３のモードは、第１のモードおよび第２のモードとは異なり、撮影モードを変更せずに、第１と第２のモードで設定可能な自動値と固定値の組み合わせを、ユーザが第２の操作部材を用いて設定できることを特徴とする構成とした。【選択図】  図７
2020010316.tif 000002
【特許請求の範囲】
【請求項１】
被写体を撮像して画像信号を取得する際の露出を変更するために複数の露出制御値の制御方法が異なる複数の撮影モードを有する撮像装置であって、
撮像手段と、
第１の操作部材を用いた、ユーザの操作に応じて、前記複数の撮影モードの遷移を制御する第１の制御手段と、
第２の操作部材を用いた、ユーザの操作に応じて、前記複数の露出制御値の変更を制御する第２の制御手段と、を有し、
前記複数の撮影モードは、前記複数の露出制御値のうち任意の露出制御値をユーザが固定値に設定し、他の露出制御値をユーザによる変更を介さずに前記撮像装置が設定可能な自動値に設定する第１のモードと、前記複数の露出制御値を前記自動値に設定する第２のモードと、前記複数の露出制御値を前記固定値および前記自動値に設定できる第３のモードと、を含み、
前記第３のモードは、前記第１のモードおよび前記第２のモードとは異なるモードであって、前記撮影モードを変更せずに、前記第１と第２のモードで設定可能な前記自動値と前記固定値の組み合わせを、ユーザが前記第２の操作部材を用いて設定できることを特徴とする撮像装置。
【請求項２】
前記複数の撮影モードは、さらに、前記複数の露出制御値をユーザがすべて前記固定値に設定する第４のモードを含み、
前記第３のモードは、前記第４のモードと同様に、ユーザの操作に応じて前記複数の露出制御値を前記固定値に設定可能であることを特徴とする請求項１に記載の撮像装置。
【請求項３】
被写体の輝度値に応じた前記複数の露出制御値における各数値の組合せが予め定められている複数の露出条件を記憶するメモリを備え、
前記第３のモードでは、前記第１のモードまたは前記第２のモードと同一の前記固定値および前記自動値の組合せについては、前記メモリに記憶された前記複数の露出条件のうち、同一の露出条件が用いられることを特徴とする請求項１又は２に記載の撮像装置。
【請求項４】
前記露出条件は、プログラム線図であって、
前記メモリは、前記第１のモードおよび前記第２のモードと前記第３のモードとで、共通するプログラム線図が記憶されていることを特徴とする請求項３に記載の撮像装置。
【請求項５】
前記第３のモードは、前記複数の露出制御値のそれぞれについて、ユーザが前記固定値と前記自動値を変更可能であって、ユーザが前記固定値に設定した露出制御値とは異なる露出制御値は前記自動値となり、被写体の輝度値に応じて前記撮像装置によって自動的に設定されることを特徴とする請求項１乃至４の何れか１項に記載の撮像装置。
【請求項６】
前記撮像装置は、露出を変更して複数回の撮像を行うブラケット撮影機能を実行でき、
前記第２の制御手段は、前記第３のモードで前記ブラケット撮影機能を実行する場合に、ユーザが設定した前記固定値に応じて、前記ブラケット撮影機能において優先的に変更する露出制御値を決定することを特徴とする請求項１乃至５の何れか１項に記載の撮像装置。
【請求項７】
前記撮像装置は、ダイナミックレンジを拡大した合成画像を生成するのに用いる複数の露出が異なる被合成画像を取得するＨＤＲ撮影機能を実行でき、
前記第２の制御手段は、前記第３のモードで前記ＨＤＲ撮影機能を実行する場合に、ユーザが設定した前記固定値に応じて、前記ＨＤＲ撮影機能において優先的に変更する露出制御値を決定することを特徴とする請求項１乃至５の何れか１項に記載の撮像装置。
【請求項８】
前記撮像装置は、前記撮像装置において予め定められた基準である適正露出に対して、ユーザの操作に応じて任意の量の露出を補正する露出補正が可能であって
前記第２の制御手段は、前記第３のモードにおいて、ユーザが設定した前記固定値に応じて、前記露出補正に用いる露出制御値を決定することを特徴とする請求項１乃至５の何れか１項に記載の撮像装置。
【請求項９】
前記撮像手段および前記撮像装置に接続可能な発光装置を用いた発光撮影に関する制御を行う発光制御手段をさらに有し、
前記発光制御手段は、前記第１のモードでは、前記固定値と前記自動値との第１の組み合わせにおいて、ユーザによる設定を介さずに前記撮像装置が前記発光装置の発光の有無および発光量を設定する自動発光が行われ、前記第３のモードでは、前記固定値と前記自動値とが前記第１の組み合わせであっても前記自動発光を行わないように制御することを特徴とする請求項１乃至５の何れか１項に記載の撮像装置。
【請求項１０】
前記発光制御手段は、前記第１のモードおよび前記第３のモードにおいて、ユーザの手動設定によって前記発光装置の発光の有無を設定可能であることを特徴とする請求項９に記載の撮像装置。
【請求項１１】
前記発光制御手段は、前記第１のモードにおいて、通常の発光撮影時よりも蓄積時間が長くなるように発光撮影を行う第１の機能を実行でき、前記第３のモードでは、前記第１のモードにおいて前記第１の機能を実行するサ際の前記複数の露出制御値の組み合わせが同一であっても前記第１の機能が実行されないように制御することを特徴とする請求項９又は１０に記載の撮像装置。
【請求項１２】
撮像装置は、ユーザによって前記固定値が設定されたことに応じて、前記露出制御値が前記適正露出となるように、ユーザの変更を介さずに所定の露出制御値を変更するシフト機能を実行でき、
前記第２の制御手段は、前記第１のモードでは、前記固定値と前記自動値との第１の組み合わせにおいて前記シフト機能を実行し、前記第３のモードでは、前記固定値と前記自動値とが前記第１の組み合わせであっても前記シフト機能を実行しないように制御することを特徴とする請求項１乃至５の何れか１項に記載の撮像装置。
【請求項１３】
前記シフト機能は、前記適正露出となるように、前記所定の露出制御値として、シャッター速度、絞り値またはＩＳＯ感度の何れかをユーザの変更を介さずに変更でき、
前記所定の露出制御値は、ユーザによって事前に設定可能であることを特徴とする請求項１２に記載の撮像装置。
【請求項１４】
前記複数の露出制御値には、少なくとも、シャッター速度、絞り地、ＩＳＯ感度が含まれ、
前記第２のモードおよび前記第３のモードでは、前記シャッター速度のみを前記固定値とする状態、前記絞り値のみを前記固定値とする状態、前記ＩＳＯ感度のみを前記固定値とする状態を設定可能であることを特徴とする請求項１乃至１３の何れか一項に記載の撮像装置。
【請求項１５】
前記複数の露出制御値のそれぞれに関する設定項目を表示可能な表示手段を有し、
前記表示手段に表示される前記設定項目のそれぞれは、前記第３のモードにおいて、前記固定値が設定されている場合と前記自動値が設定されている場合とで、同一の設定項目について表示されるアイコンが異なることを特徴とする請求項１乃至１４の何れか１項に記載の撮像装置。
【請求項１６】
被写体を撮像して画像信号を取得する際の露出を変更するために複数の露出制御値の制御方法が異なる複数の撮影モードを有する撮像装置であって、
撮像手段と、
被写体の輝度値に応じた前記複数の露出制御値における各数値の組合せが予め定められている複数の露出条件を記憶するメモリと、
ユーザの操作入力に応じて、前記複数の露出制御値の変更を制御する制御手段と、を有し、
前記複数の撮影モードは、前記複数の露出制御値のうち任意の露出制御値をユーザが固定値に設定し、他の露出制御値をユーザによる変更を介さずに前記撮像装置が設定可能な自動値に設定する第１のモードと、前記複数の露出制御値を前記自動値に設定する第２のモードと、前記複数の露出制御値をユーザが前記固定値に設定できるとともに前記自動値に設定できる第３のモードと、を含み、
前記第３のモードは、前記第１のモードおよび前記第２のモードとは異なるモードであって、前記撮影モードを変更せずに、前記固定値と前記自動値の組合せを変更可能であって、
前記制御手段は、前記第３のモードにおいて、前記第１のモードまたは前記第２のモードと同一の前記固定値および前記自動値の組合せについては、前記メモリに記憶された前記複数の露出条件のうち、同一の露出条件を用いるように制御することを特徴とする撮像装置。
【請求項１７】
撮像手段を備え、当該撮像手段を用いて被写体を撮像して画像信号を取得する際の露出を変更するために複数の露出制御値の制御方法が異なる複数の撮影モードを有する撮像装置の制御方法であって、
第１の操作部材を用いた、ユーザの操作に応じて、前記複数の撮影モードの遷移を制御する第１の制御工程と、
第２の操作部材を用いた、ユーザの操作に応じて、前記複数の露出制御値の変更を制御する第２の制御工程と、を有し、
前記複数の撮影モードは、前記複数の露出制御値のうち任意の露出制御値をユーザが固定値に設定し、他の露出制御値をユーザによる変更を介さずに前記撮像装置が設定可能な自動値に設定する第１のモードと、前記複数の露出制御値を前記自動値に設定する第２のモードと、前記複数の露出制御値を前記固定値および前記自動値に設定できる第３のモードと、を含み、
前記第３のモードは、前記第１のモードおよび前記第２のモードとは異なるモードであって、前記第１の制御工程において前記撮影モードを変更せずに、前記第２の制御工程において、前記第１と第２のモードとで設定可能な前記自動値と前記固定値の組み合わせを、ユーザが前記第２の操作部材を用いて設定できることを特徴とする撮像装置の制御方法。
【請求項１８】
撮像手段と、メモリとを備え、当該撮像手段を用いて被写体を撮像して画像信号を取得する際の露出を変更するために複数の露出制御値の制御方法が異なる複数の撮影モードを有する撮像装置の制御方法であって、
ユーザの操作入力に応じて、前記複数の露出制御値の変更を制御する制御工程を有し、
前記複数の撮影モードは、前記複数の露出制御値のうち任意の露出制御値をユーザが固定値に設定し、他の露出制御値をユーザによる変更を介さずに前記撮像装置が設定可能な自動値に設定する第１のモードと、前記複数の露出制御値を前記自動値に設定する第２のモードと、前記複数の露出制御値をユーザが前記固定値に設定できるとともに前記自動値に設定できる第３のモードと、を含み、
前記第３のモードは、前記第１のモードおよび前記第２のモードとは異なるモードであって、前記撮影モードを変更せずに、前記固定値と前記自動値の組合せを変更可能であって、
前記制御工程では、前記第３のモードにおいて、前記第１のモードまたは前記第２のモードと同一の前記固定値および前記自動値の組合せについては、前記メモリに記憶された前記複数の露出条件のうち、同一の露出条件を用いるように制御することを特徴とする撮像装置の制御方法。
【請求項１９】
請求項１７又は１８に記載の撮像装置の制御方法をコンピュータで実行させるためのコンピュータで読み取り可能なプログラム。
【発明の詳細な説明】
【技術分野】
【０００１】
本発明は、撮像装置の露出制御に関し、特に露出制御値の制御方法に関する。
【背景技術】
【０００２】
従来、撮像装置では、撮影時の露出を決めるための露出要素である複数の露出制御値（パラメータ）のうち、優先すべき露出制御値が異なる複数の撮影モードを設定可能である。例えば、シャッター速度を優先するシャッター速度優先モード、絞り値を優先する絞り値優先モードなどがあり、これらの撮影モードでは、ユーザが設定した露出制御値以外のパラメータは撮像装置が自動的に決定する仕様となっている。また、撮像装置の撮影モードとして、すべての露出制御値を、撮像装置が自動的に設定する全自動モードが備えられていることが多い。
【０００３】
したがって、従来の撮像装置においては、撮影モードを切り替えることによって、複数ある露出制御値の各値の変更をユーザが決定するのか、撮像装置が決定するのかを切り替えることができる。この構成により、例えば、画像における被写体のブレを軽減したい場合は、シャッター速度優先モードにおいて、ユーザが任意のシャッター速度を決定し、撮像装置が他の露出制御値を決定することで、最適な露出を設定することができる。また、撮影したいシーンに応じて変更すべき露出がわからない場合に、全自動モードにおいて、被写体の輝度値に応じた露出制御値を自動的に決定することができる。
【０００４】
しかし、全自動モードは撮像装置が自動的に撮影時の露出を決定するため、ユーザの意図を反映させることが難しいという側面がある。また、複数ある露出制御値のうち、ユーザが決定する露出制御値と撮像装置が決定する露出制御値との組み合わせの変更は、撮影モードを切り替える必要があり、ユーザによる操作が煩雑になる。例えば、全自動モードにおいて撮像装置が設定した絞り値では、ユーザが所望する被写界深度がとならない場合、ユーザは、撮影モードを絞り値優先モードに切り替えたうえで、絞り値を手動で調整する必要が生じる。
【０００５】
特許文献１では、撮像装置が被写体の状態を認識して、現在の撮影モードから、当該撮影モードに関連付けされている他の撮影モードに切り替える技術について提案されている。
【０００６】
また、特許文献２では、ユーザが撮影モードを変更した際に、撮影前設定を手動で調整する手間を省く技術として、撮影前に設定した項目を変更した撮影モードに引き継ぐ点について提案されている。
【先行技術文献】
【特許文献】
【０００７】
【特許文献１】特開２０１１−１９０１９号公報
【特許文献２】特開平１０−４２１８７号公報
【発明の概要】
【発明が解決しようとする課題】
【０００８】
しかしながら、特許文献１で提案されている技術では、ユーザの意図と撮像装置が認識した状態が一致するとは限らず、ユーザが意図した露出パラメータが必ず変更されるものではない。また、特許文献２で提案されている技術では、前述したように、ユーザが撮影モードを切り替える手間があり、撮影前のユーザによる操作が煩雑になる。
【０００９】
本発明の目的は、露出の設定に係る操作が煩雑になることを抑制しつつ、ユーザが意図した露出を設定可能とすることである。
【課題を解決するための手段】
【００１０】
上記目的を達成するために、本発明の撮像装置は、被写体を撮像して画像信号を取得する際の露出を変更するために複数の露出制御値の制御方法が異なる複数の撮影モードを有する撮像装置であって、撮像手段と、第１の操作部材を用いた、ユーザの操作に応じて、前記複数の撮影モードの遷移を制御する第１の制御手段と、第２の操作部材を用いた、ユーザの操作に応じて、前記複数の露出制御値の変更を制御する第２の制御手段と、を有し、前記複数の撮影モードは、前記複数の露出制御値のうち任意の露出制御値をユーザが固定値に設定し、他の露出制御値をユーザによる変更を介さずに前記撮像装置が設定可能な自動値に設定する第１のモードと、前記複数の露出制御値を前記自動値に設定する第２のモードと、前記複数の露出制御値を前記固定値および前記自動値に設定できる第３のモードと、を含み、前記第３のモードは、前記第１のモードおよび前記第２のモードとは異なるモードであって、前記撮影モードを変更せずに、前記第１と第２のモードで設定可能な前記自動値と前記固定値の組み合わせを、ユーザが前記第２の操作部材を用いて設定できることを特徴とする。
【発明の効果】
【００１１】
本発明によれば、露出の設定に係る操作が煩雑になることを抑制しつつ、ユーザが意図した露出を設定可能とすることができる。
【図面の簡単な説明】
【００１２】
【図１】本発明を実施した撮像装置の第１実施形態である撮像装置１００の構成を説明する図である。
【図２】本発明を実施した撮像装置の第１実施形態である撮像装置１００の構成例を示すブロック図である。
【図３】本発明の第１実施形態に係る露出制御値の表示例を説明する図である。
【図４】本発明の第１実施形態に係る露出制御値の表示方法を説明する図である。
【図５】本発明の第１実施形態に係る、撮像装置１００で設定可能な露出制御に係るプログラム線図を例示的に説明する図である。
【図６】本発明の第１実施形態に係る準自動モードにおけるプログラム線図の遷移処理に関するフローチャートである。
【図７】本発明の第１実施形態に係る準自動モードにおけるプログラム線図の遷移について例示的に説明する図である。
【図８】本発明の第１実施形態に係るシャッター速度優先モードにおけるブラケット撮影時の露出制御値の変化を例示的に説明する図である。
【図９】本発明の第１実施形態に係る準自動モードにおけるブラケット撮影処理に関するフローチャートである。
【図１０】本発明の第１実施形態に係るシャッター速度優先モードにおけるＨＤＲ撮影時の露出制御値の変化を例示的に説明する図である。
【図１１】本発明の第１実施形態に係る準自動モードにおけるＨＤＲ撮影処理に関するフローチャートである。
【図１２】本発明の第１実施形態に係るセーフティシフト設定処理について説明するフローチャートである。
【図１３】本発明の第１実施形態に係るセーフティシフト処理について説明するフローチャートである。
【図１４】本発明の実際形態に係るセーフティシフト解除処理を説明するフローチャートである。
【図１５】本発明の第２実施形態に係る露出制御値の表示例を説明する図である。
【図１６】本発明の第２実施形態に係る露出メーター表示部１３０５の拡大図である。
【発明を実施するための形態】
【００１３】
（第１実施形態）
（撮像装置１００の基本構成）
以下に、本発明の好ましい実施の形態を、添付の図面に基づいて説明する。図１は、本発明を実施した撮像装置の第１実施形態である撮像装置１００の構成を説明する図であって、図１（ａ）は、撮像装置１００の概略断面図を示し、図１（ｂ）は撮像装置１００の背面図を示し、図１（ｃ）は撮像装置１００の俯瞰図を示している。また、図２は、本発明を実施した撮像装置の第１実施形態である撮像装置１００の構成例を示すブロック図である。なお、図２に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。したがって、以下の説明において、異なる機能ブロックが動作主体として記載されている場合であっても、同じハードウェアが主体として実現されうる。
【００１４】
撮像装置１００は、マウント部に設けられたマウント接点１０５を介して交換レンズ２００と電気的に接続可能である。なお、撮像装置１００に設けられたマウント部には不図示のバヨネット爪群を有し、交換レンズ２００のマウント部に設けられた不図示のバヨネット爪群と所謂バヨネット結合方式での結合可能である。この構成により、撮像装置１００に対して交換レンズ２００を含むカメラアクセサリを着脱可能である。
【００１５】
交換レンズ２００は被写体からの光束をレンズ群２０８により集光し、撮像装置内部に設けられた撮像素子１０１へ導く。撮像素子１０１は、交換レンズ２００により導かれた被写体の光束を受光して電気的な画像信号に変換することができるＣＭＯＳ等の電荷蓄積型の固体撮像素子を採用した撮像手段である。なお、撮像装置１００においては、被写体の光束に対応する光学像を電気信号への変換する際の感度（受光感度）を変更することが可能である。この受光感度の調整および画像信号に変換後のデジタルゲイン量の調整により、画像信号の明るさを調整することができる。本実施形態では、これらを総称して撮影感度とし、撮像装置１００においては、ＩＳＯ感度を変更することで、この撮影感度を調整することが可能である。
【００１６】
シャッター１０２は、レンズ群２０８から導かれた光速の光路上において撮像素子１０１の前方に配置される遮光部材である。シャッター１０２は、羽根部材を備え、この羽根部材の展開状態で、被写体からの光束を遮ることができ、羽根部材の折り畳み状態で撮像素子１０１に結像する被写体からの光束に対応する光学像を撮像素子１０１に結像させることが出来る。なお、撮像装置１００では、シャッター１０２の走行速度に応じて撮像素子１０１へ入射する光量を調節することが可能である。そして、シャッター１０２の走行速度と撮像素子１０１の露光時間とに基づく露出条件であるシャッター速度を変更することで、画像信号の明るさを調整することができる。なお、シャッター１０２の動作と同様の構成を、撮像素子１０１における蓄積制御で行う所謂電子シャッターを採用する構成でもよい。
【００１７】
交換レンズ２００は撮影レンズ制御部２０６を備える。撮影レンズ制御部２０６は、交換レンズ２００の内部に設けられた絞り２０７の開口径に関する絞り量（絞り値）を変更することが可能である。絞り２０７の絞り量を調整することで、撮像装置１００の内部に入射する光量を調節することが出来る。また、撮影レンズ制御部２０６は、レンズ群２０８を構成する各レンズ（フォーカスレンズ、ズームレンズ、シフトレンズなど）の位置を制御することができる。
【００１８】
なお、後述するシステム制御部１０４と撮影レンズ制御部２０６は、マウント接点１０５を介して電気的に接続されている。そして、システム制御部１０４は、撮影レンズ制御部２０６を介して交換レンズ２００の絞り２０７とレンズ群２０８の動作に係る各種の指示が可能である。
【００１９】
システム制御部１０４は、撮像装置１００および撮像装置１００に装着されたカメラアクセサリの各部を統括的に制御する制御手段であって、不図示のマイクロコンピュータ（ＣＰＵ）を備えている。システム制御部１０４が実行する制御内容については、後述の種々の動作の説明にて詳細を説明する。
【００２０】
メモリ１０６は、撮像装置１００の動作に関わるデータや撮像装置１００を用いて取得した種々のデータを記録可能な記録媒体である。本実施形態のメモリ１０６は、不揮発性メモリとしてＲＯＭ領域、および揮発性メモリとしてＲＡＭ領域をそれぞれ備えている。
【００２１】
表示部１０３は、撮像素子１０１を用いて取得された画像信号に基づく表示用の画像信号を表示可能な、ＴＦＴ型ＬＣＤ（薄膜トランジスタ駆動型液晶表示器）などで構成され表示手段である。なお、表示部１０３には、絞り値やシャッター速度、ＩＳＯ感度など、被写体を撮像する際の露出や画像信号の明るさの調整するための露出制御値など、撮影パラメータを含むメニュー表示ができる。また、表示部１０３は、ユーザによるタッチ操作が可能な操作手段を兼ねた、所謂タッチパネルであって、本実施形態では静電容量式のタッチパネルとして機能する。すなわち、表示部１０３は、ユーザによって手動操作が可能な操作部材であって、例えば、表示部１０３に表示された特定のアイコンをユーザがタッチ操作することで、ユーザが所望する項目に関する操作入力が可能である。なお、タッチ操作を可能とする表示部１０３の構成は静電容量を検知するものに限定されず、公知の方式であればどのようなものを採用してもよい。
【００２２】
撮影モード選択部１０９は、撮像装置１００で設定可能な撮影モードを選択する選択手段であって、ユーザにより手動操作が可能な操作部材（第１の操作部材）である。なお、本実施形態における撮影モードとは、前述した露出制御値の設定方法が異なるモードである。例えば、絞り値を優先的に設定する絞り値（Ａｖ）優先モードや、シャッター速度を優先的に設定するシャッター速度（Ｔｖ）優先モード、そして、露出制御値および露出補正量を自動および手動で任意の値に設定可能な準自動モードなどを設定可能である。また、撮影モード選択部１０９は、システム制御部１０４と電気的に接続されており、システム制御部１０４は、撮影モード選択部１０９によって選択された撮影モードに応じて撮像装置１００の制御を行う。
【００２３】
なお、準自動モードでは、ユーザの操作入力に応じて手動で設定する固定の露出制御値（固定値）と、ユーザによる変更を介さずに撮像装置１００が設定可能な露出制御値（自動値）との組み合わせを、撮影モードを変更せずにユーザが自由に設定できる。
【００２４】
撮像指示部１１０は、システム制御部１０４と電気的に接続されており、ユーザの手動操作により押し下げられることで信号が有効となり撮像準備および撮像の開始が指示され、それ以外の状態で信号が無効となる。なお、撮像指示部１１０は、２段階の押し下げ状態に遷移可能であって、システム制御部１０４は、撮像指示部１１０の半押し状態を撮像待機状態として認識して、撮像装置１００の各部に対して撮像準備動作を指示する。そして、システム制御部１０４は、撮像指示部１１０の全押し状態を撮像状態として認識して、撮像装置１００の各部に対して撮像動作を指示する。
【００２５】
メインダイヤル入力部１１１は、回転方向への端がなく回転可能であって、ユーザの操作に応じた回転量を所定の動作に関する入力量として取得することができる。サブダイヤル入力部１１２は、回転方向への端がなく回転可能であって、ユーザの操作に応じた回転量を所定の動作に関する入力量として取得することができる。メインダイヤル入力部１１１およびサブダイヤル入力部１１２は、システム制御部１０４と電気的に接続されており、回転量に応じた操作入力がシステム制御部１０４によって制御される。なお、メインダイヤル入力部１１１やサブダイヤル入力部１１２は、ユーザによって手動操作が可能な操作手段（第２の操作部材）であって、例えば、任意の露出制御値に関して予め決められた離散的な値の中から、任意の値を設定することが可能である。リセット入力部１１３は、ボタン方式の入力部で、ユーザの操作により押し下げ可能である。ユーザがリセット入力部１１３を操作することで、システム制御部１０４は当該操作（リセット入力）に応じた所定の動作を制御する。アクセサリー接続部１１４は不図示の外付けストロボやマイクなどのアクセサリーをカメラに装着してカメラから制御するための接続部で、システム制御部１０４と電気的に接続され、装着されたアクセサリーをシステム制御部１０４から制御できる。
【００２６】
絞り駆動部２０１は、交換レンズ２００の絞り２０７を動かすための構成であって、撮影レンズ制御部２０６により指示された絞り位置へ絞り２０７を駆動させ、絞り２０７の開口を絞り値に応じた開口量へと調整できる。レンズ駆動部２０２は、交換レンズ２００のレンズ群２０８を所定の位置へ駆動させる構成であって、撮影レンズ制御部２０６により指示された位置へレンズ群２０８を駆動できる。
【００２７】
シャッター制御部１０７は、シャッター１０２の開閉状態を制御する構成であって、システム制御部１０４により指定された時間でシャッター１０２の走行を制御することで、被写体を撮像する際のシャッター速度を制御できる。信号処理部１０８は、撮像素子１０１より出力された画像信号に種々の処理を施す構成であって、デジタル画像データに対して所定の画像補間、縮小などのリサイズ処理や色変換処理、飽和画素や黒潰れ画素などの画素データ数の演算処理を行う。また、信号処理部１０８は、デジタル画像データに対して、ホワイトバランス（以下、単にＷＢと称す）などの演算処理を施す処理手段である。記録部１１５は、撮像により得られた画像信号を記録する記録媒体であって、撮像素子１０１を用いて取得された画像信号を静止画データ、または動画データとして記録可能である。
【００２８】
合焦判定演算部１１６は、信号処理部１０８から出力された画像信号に基づいて、交換レンズ２００に含まれるフォーカスレンズのレンズ位置が合焦状態であるか否かを判定するための情報を演算する部位である。演算した情報に基づき現在のレンズ位置が非合焦状態であれば、システム制御部１０４は、撮影レンズ制御部２０６を通して交換レンズ２００と制御する。なお、フォーカスレンズの位置は、合焦状態に依らず、ユーザの操作入力に応じてシステム制御部１０４の制御によって調整可能である。
【００２９】
輝度検出部１１７は、信号処理部１０８から出力された画像信号に基づいて、被写体の明るさ（輝度値）を検出する輝度検出手段である。具体的に、輝度検出部１１７は、取得した画像信号に対応する一画面を複数のブロックに分割し、各ブロックの平均輝度値を算出する。そして、各ブロックの平均輝度値を積分して代表輝度値を取得する。以降の説明では、この代表輝度値を被写体の輝度値とし、露出制御などの種々の処理および制御にこの輝度値を用いる。なお、輝度値の検出方法はこれに限定されるものではなく、輝度値の算出に係る種々の方法を採用可能である。システム制御部１０４は、輝度検出部１１７により検出された輝度値と撮影モード選択部１０９により選択された撮影モードに基づき、種々の露出制御値（シャッター速度、絞り値、ＩＳＯ感度など）の露出制御量を演算する。
【００３０】
ストロボ制御部１１８は、システム制御部１０４による輝度値に基づく発光判定により、被写体への照明が必要であると判定された場合、または、ユーザの手動操作に基づいて、発光手段の発光制御を行う。なお、本実施形態における発光手段としては、撮像装置１００に内蔵された内蔵ストロボ１１９、または、アクセサリー接続部１１４に接続された外部ストロボが該当する。
【００３１】
次に、図３および図４を参照して、種々の露出制御値および露出補正量の表示方法について説明する。図３は、本発明の第１実施形態に係る露出制御値の表示例を説明する図である。なお、本実施形態では、表示部１０３における表示画面を一例として、表示部１０３に種々の機能アイコンとして、露出制御に係るグラフィカルユーザインターフェース（ＧＵＩ）を表示する場合について説明する。
【００３２】
撮影モード表示部３０１は、撮影モード選択部１０９で選択された撮影モードを表示するための部分である。シャッター速度表示部３０２は、ユーザが選択したシャッター速度、または、システム制御部１０４によって決められたシャッター速度を表示する部分である。絞り値表示部３０３は、ユーザが選択した絞り値、または、システム制御部１０４によって決められた絞り値を表示する部分である。ＩＳＯ感度表示部３０４は、ユーザが選択したＩＳＯ感度、または、システム制御部１０４によって決められたＩＳＯ感度を表示する部分である。すなわち、表示部１０３には、各露出制御値に関する設定項目を表示可能である。
【００３３】
露出メーター表示部３０５は、ユーザが選択した露出制御値、または、現在の露出制御値と被写体の明るさ（輝度値）との差分を視覚的に表示する部分である。図３に図示するように、露出メーター表示部３０５の中央が被写体の輝度値を基準とした位置であって、この中央位置からの差分が露出補正量となる。本実施形態では、ＡＰＥＸ単位における露出の±１／３段ごとに露出補正量を設定することができ、任意の露出補正量を設定することで、輝度検出部１１７が検出した輝度に対応した画像信号の明るさを調整することが出来る。なお、少なくとも１つ以上の露出制御値が自動値として、撮像装置１００により自動的に設定される状況においては、露出メーター表示部３０５において露出補正値を表示し、すべての露出制御値が固定値である場合は、露出制御値と輝度値との差分を表示する。
【００３４】
図４は、本発明の第１実施形態に係る露出制御値の表示方法を説明する図である。図４（ａ）は、設定可能な全ての露出制御値が固定値として設定された場合を示している。図４（ｂ）は、システム制御部１０４により所定の露出制御値が自動で設定可能である場合を示し、システム制御部１０４が露出制御値を決定していない場合は、数値ではなく「ＡＵＴＯ」と表示される。図４（ｃ）は、ユーザが露出制御値を変更している際の表示例を示し、ユーザが変更している露出制御値の横に所定のアイコンが表示される。なお、図４（ｃ）では、ユーザがシャッター速度を変更している場合を例示的に説明している。
【００３５】
図４（ｂ）に図示するように、本実施形態に係る準自動モードでは、露出制御値の表示方法として、システム制御部１０４により自動的に設定される露出制御値（自動値）の下部に下線が引かれる。これに対して、同じ準自動モードにおいても、露出制御値が固定値に設定されている場合は、当該固定値の下線は引かれない。すなわち、準自動モードでは、同一の露出制御値に関する設定項目であっても、当該露出制御値が固定値に設定されているか自動値に設定されているかに応じて、表示部１０３に表示される機能アイコンが異なる。
【００３６】
表１は、撮影モード選択部１０９で変更可能な撮影モードの例と、当該撮影モードに応じた各露出制御値の設定との対応関係を例示的に説明する表である。表１に示すように、シャッター速度優先モードでは、シャッター速度を任意の固定値として設定可能であって、残りの露出制御値は、設定されたシャッター速度に応じて、システム制御部１０４によって自動的に決定される。また、表１に示すように、絞り値優先モードでは、絞り値を任意の固定値として設定可能であって、残りの露出制御値は、設定された絞り値に応じて、システム制御部１０４によって自動的に決定される。ＩＳＯ感度優先モードでは、ＩＳＯ感度を任意の固定値として設定可能であって、残りの露出制御値は、設定されたＩＳＯ感度に応じて、システム制御部１０４によって自動的に決定される。マニュアルモードでは、シャッター速度、絞り値、ＩＳＯ感度を任意の固定値として設定可能である。全自動モードでは、シャッター速度、絞り値、ＩＳＯ感度など、システム制御部１０４が被写体の輝度値に応じて露出制御値を自動的に決定する。すなわち、全自動モードでは、シャッター速度、絞り値、ＩＳＯ感度など、主要な露出制御値は全て自動値となる。
【００３７】
そして、準自動モードは、ユーザの操作に応じて、露出制御値を任意の固定値として設定するかシステム制御部１０４により自動的に設定するかを、撮影モードの変更なしに切り替えることが出来る撮影モードである。すなわち、準自動モードは、１つの撮影モードの中で、上述した種々の撮影モード（シャッター速度優先、絞り値優先、ＩＳＯ感度優先、マニュアル、全自動）と同一の方法（設定条件）で露出制御値を設定することができる。以上が撮像装置１００の基本的な構成である。
【００３８】
（プログラム線図の設定方法）
以下、図５〜８と表２を参照して、準自動モードにおける露出制御値の設定方法について詳細を説明する。本実施形態では、所定の規則に従い被写体の輝度値に応じた露出制御値の所定の値の組合せが予め定められている露出条件であるプログラム線図に基づいて、露出制御が行われる。このプログラム線図は、各撮影モードや露出条件の変更に応じて異なるものがメモリ１０６に予め記憶されおり、ユーザによる撮影モードの変更などに応じてシステム制御部１０４により変更される。
【００３９】
図５は、本発明の第１実施形態に係る、撮像装置１００で設定可能な露出制御に係るプログラム線図を例示的に説明する図である。図５（ａ）は、シャッター速度優先モードにおいて、ユーザがあるシャッター速度を設定した際のプログラム線図を例示している。図５（ｂ）は、絞り値優先モードにおいて、ユーザがある絞り値を設定した際のプログラム線図を例示している。図５（ｃ）は、ＩＳＯ感度優先モードにおいて、ユーザがあるＩＳＯ感度を設定した際のプログラム線図を例示している。なお、上述した各優先モードにおけるプログラム線図は、ユーザが固定値として設定した露出制御値を中心に、他の露出制御値が設定される。図５（ｄ）は、全自動モードにおいて、各露出制御値をシステム制御部１０４が自動的に決定する際に用いるプログラム線図を示している。なお、図５の各図において、横軸は輝度値を示し、図中の右方向が高輝度側である。また、図５の各図において、縦軸は、各露出制御値の度合を示し、図中の上方向が、シャッター速度の高速側、絞り値の大きい側（小絞り側）、ＩＳＯ感度の大きい側（高感度側）である。
【００４０】
本実施形態に係る撮像装置１００では、ユーザによって準自動モードが設定された後、最初に設定される露出制御値として、システム制御部１０４により自動的に設定された露出制御値（またはＡＵＴＯ）が設定される。この際に用いるプログラム線図としては、前述した全自動モードのプログラム線図と同一のものを用いる。その後、ユーザの手動操作によって、任意の露出制御値が固定値に変更された場合は、固定値が設定された露出制御値に基づいて、システム制御部１０４がその他の露出制御値を自動的に設定する。この際、例えば、シャッター速度のみを任意の固定値に設定した場合は、シャッター速度優先モードと同一のプログラム線図を用いてその他の露出制御値が設定される。そして、準自動モードにおいて全ての露出制御値が固定値に設定された場合、マニュアルモードと同様に、プログラム線図を用いることなく、ユーザが任意の露出制御値が設定される。すなわち、本実施形態に係る準自動モードでは、その他の撮影モードと同一の設定条件がユーザによって設定された場合は、当該同一の設定条件である撮影モードと同じプログラム線図を用いる。
【００４１】
次に、図６を参照して、準自動モードにおける露出制御値の決定処理について説明する。図６は、本発明の第１実施形態に係る準自動モードにおけるプログラム線図の遷移処理に関するフローチャートである。図６に図示するように、ステップＳ１０１でシステム制御部１０４は、撮影モードが準自動モードに設定されたことに応じて、全自動モードで用いるプログラム線図と同一のプログラム線図を用いて露出制御値を決定する。
【００４２】
次に、ステップＳ１０２でシステム制御部１０４は、ユーザによって露出制御値が固定値に変更されたか否かを判定する。すなわち、ステップ１０２の処理では、全自動モードと同様に、各露出制御値が自動的に設定される状態から、ユーザが任意の露出制御値について自動以外の固定値が設定されたか否かを判定する。
【００４３】
次に、ステップＳ１０３でシステム制御部１０４は、ユーザにより設定された固定値に基づいて、内部撮影モードを変更する。ここで、ユーザによって固定値が設定された露出制御値に応じてステップＳ１０３の処理の内容が異なる。本実施形態では、撮像装置１００で設定可能な全ての露出制御値が固定値に設定された場合、システム制御部１０４は、撮影モードを準自動モードに維持したまま、内部撮影モード（ユーザには通知されない）をマニュアルモードと同一の条件に設定する。また、本実施形態では、何れかの露出制御値が自動設定可能な状況であれば、システム制御部１０４は、固定値が設定された露出制御値に基づいて対応するプログラム線図を設定する。
【００４４】
表２は、内部撮影モードと露出制御値の設定状態との対応関係を説明する表である。ステップＳ１０３の処理でシステム制御部１０４は、この表２に相当するテーブルデータに基づいて内部撮影モードを決定する。
【００４５】
なお、表２に示すように、本実施形態では、ある２つの露出制御値が固定値に設定された場合、より優先して設定すべき露出制御値に基づいて内部撮影モード（換言すると対応するプログラム線図）を設定する。例えば、シャッター速度とＩＳＯ感度の両方が固定されている場合、内部撮影モードをシャッター速度優先モードに設定する。
【００４６】
これは、同一量の露出を変更する場合、ＩＳＯ感度の変更により画像信号が変化する度合に対して、シャッター速度の変更により画像信号が変化する度合が相対的に大きいためである。絞り値とＩＳＯ感度の関係についても、シャッター速度とＩＳＯ感度と同様である。なお、画像信号は変化する度合としては、画像信号に基づく画像をユーザが見た際に、画像に付与される効果が変化する度合である。すなわち、本実施形態の準自動モードでは、異なる２つの露出制御値が固定値に設定された場合、画像信号における効果が変化する度合が大きい露出制御値を優先した内部撮影モードが設定される。
【００４７】
なお、本実施形態では、異なる２つの露出制御値が固定値にされた場合、優先すべき露出制御値に基づいて内部撮影モードを設定する構成であるが、これに限定されるものではない。例えば、シャッター速度とＩＳＯ感度が固定値にされた場合に、シャッター速度とＩＳＯ感度が固定の値となり、輝度値の変化に応じて絞り値のみが変化するようなプログラム線図を用いる構成であってもよい。この場合、撮像装置１００が実際に設定できる撮影モードとして、準自動モードと同一の撮影条件となるプログラム線図を用いる撮影モードは存在しないが、準自動モード用のプログラム線図として、これらのプログラム線図を保持すればよい。そして、新たなプログラム線図を保持することでデータ量は増えるが、他の撮影モードと同一の内部撮影モードについてはプログラム線図を共通化できるため、準自動モードの撮影条件ごとにプログラム線図を保持する場合よりも相対的にデータ量を削減できる。
【００４８】
図６に戻り、ステップＳ１０４でシステム制御部１０４は、ユーザにより撮像準備または撮像が指示されているか否かを判定する。当該判定により、撮像準備また撮像が指示されている場合、システム制御部１０４は、図６に図示するフローチャートに係る処理を終了し、被写体の撮像処理に移行する。また、当該判定により、撮像準備また撮像が指示されていない場合は、システム制御部１０４は、ステップＳ１０２の処理に戻る。
【００４９】
ここで、図７を参照して、準自動モードにおいて、内部撮影モードが全自動モードからシャッター速度優先モードに変更された場合を例として、準自動モードにおけるプログラム線図の遷移について説明する。なお、この動作は、前述したステップＳ１０２の判定がＹＥＳと判断された場合のステップＳ１０３の処理に対応する。図７は、本発明の第１実施形態に係る準自動モードにおけるプログラム線図の遷移について例示的に説明する図である。図７に図示する表示画面においては、準自動モードをＦｖモードと表記する。
【００５０】
図７に図示するように、準自動モードにおいて、自動的に設定されたシャッター速度（１／１２５秒）を、ユーザが固定値（１／１６０秒）に変更したことにより、内部撮影モードが全自動モードからシャッター速度優先モードに遷移する。この場合、シャッター速度表示部３０２においては、シャッター速度について自動を表す表示（シャッター速度の表記に下線あり）から固定値を表す表示（シャッター速度の表記に下線なし）に切り替わる。対して、撮影モード表示部３０１においては、内部撮影モードの切り替えに関わらず、実際の撮影モードに係る表示は変更されない（「Ｆｖ」で同一）。すなわち、本実施形態の撮像装置１００は、準自動モードを設定することで、実際の撮影モードを切り替えることなく、ユーザが所望する露出制御値を自由に変更することができ、実質的に撮影モードの切り替えと同等の撮影条件の変更が可能となる。
【００５１】
なお、準自動モードにおける各露出制御値のユーザによる自由な設定は、ユーザの手動操作により機械的に操作量を入力する操作部材だけでなく、表示部１０３を用いたＧＵＩ表示を活用することで、ユーザによる簡易な操作で実現可能となる。
【００５２】
また、準自動モードにおける内部撮影モードの変更は、撮影モード選択部１０９を用いた実際の撮影モードの変更と略一致している。具体的に、準自動モードにおいて実現され得る撮影条件のうち、他の撮影モードと同一のものについては、当該同一の撮影モードにおける撮影条件を用いればよい。例えば、準自動モードにおいて実現され得る撮影条件のうち、他の撮影モードと同一の撮影条件であれば、それぞれで共通のプログラム線図を用いる構成である。
【００５３】
以上説明した構成を採用した本実施形態に係る撮像装置１００は、実際の撮影モードの変更と準自動モードにおける撮影条件の変更とで大きな差分が生じることない。したがって、撮影モードの違いによりユーザに違和感を与えることなく、簡易な操作で自由に露出制御値を変更可能な撮影モードを提供できる。また、本実施形態に係る撮像装置１００は、準自動モードにおける内部撮影モードと、実際にユーザが選択可能な撮影モードの撮影条件を略同一とすることができる。したがって、準自動モード用の撮影条件に関するデータとして撮像装置１００が保持すべきデータ量を抑制することができるとともに、開発コストを削減することができる。
【００５４】
（ブラケット撮影）
次に、前述した準自動モードにおいて、異なる複数の露出で被写体の撮像を行う露出ブラケット撮影（以下、単にブラケット撮影と称す）を行う場合について説明する。本実施形態の撮像装置１００は、ユーザが設定可能な項目として、所定の露出制御値を変化させて複数回の撮像を行うブラケット撮影機能を備える。なお、ブラケット撮影機能は、前述した撮影モードとは異なり、独立して設定することができるため、各撮影モードにおいてブラケット撮影機能を設定可能である。
【００５５】
ブラケット撮影機能を実行する場合、ブラケット撮影において変化させる露出制御値の対象は、撮影モードに依って異なる。表３は、撮影モードとブラケット撮影時に優先的に変更する露出制御値との関係を例示的に説明する表である。表３に示すように、例えば、シャッター速度優先モードであれば、ブラケット撮影時にＩＳＯ感度を優先して変更し、ＩＳＯ感度を変更できない状況（ＩＳＯ感度が設定限界値に到達など）では絞り値を変更する。
【００５６】
図８は、本発明の第１実施形態に係るシャッター速度優先モードにおけるブラケット撮影時の露出制御値の変化を例示的に説明する図である。図８に図示するように、シャッター速度優先モードにおけるブラケット撮影時の１回目の撮像（基準露出）では、ユーザが設定したシャッター速度の固定値と、システム制御部１０４が自動的に設定した絞り値とＩＳＯ感度に基づいて撮像を行う。２回目の撮像（基準露出よりも露出オーバー）では、１回目の撮像時に対して、システム制御部１０４が自動的に変更したＩＳＯ感度に基づいて撮像を行う。そして、３回目の撮像（基準露出よりも露出アンダー）では、１回目の撮像時に対して、システム制御部１０４が自動的に変更した絞り値に基づいて撮像を行う。シャッター速度優先モードにおけるブラケット撮影では、変更対象の露出制御値としてＩＳＯ感度を優先的に変更する構成だが、基準露出のＩＳＯ感度が設定可能な限界値（上限または下限）に到達している場合は、ＩＳＯ感度の代わりに絞り値を変更する。
【００５７】
次に、準自動モードでは、内部撮影モードに応じてブラケット撮影時に変更する露出制御値が異なる。例えば、準自動モードにおいて、内部撮影モードがシャッター速度優先モードであれば、ＩＳＯ感度を優先的に変更し、この状態から内部撮影モードがＩＳＯ感度優先モードに変更された場合、シャッター速度を優先的に変更してブラケット撮影を行う。すなわち、準自動モードでは、設定されている内部撮影モードと同一の撮影条件となる実際の撮影モードに合わせて、ブラケット撮影時に変更すべき露出制御値を設定する。換言すると、準自動モードでは、ブラケット撮影時に優先的に変更する露出制御値が、ユーザにより固定値として設定された露出制御値に応じて変化する。
【００５８】
図９は、本発明の第１実施形態に係る準自動モードにおけるブラケット撮影処理に関するフローチャートである。まず、ステップＳ２０１でシステム制御部１０４は、ユーザが設定したブラケット撮影における撮像回数を検出する。なお、ブラケット撮影の撮像回数は、例えば、メニュー表示などに基づいてユーザが任意の回数を事前に設定できる構成であってもよいし、撮像装置１００において予め定められた回数を選択できる構成であってもよい。また、ブラケット撮影の撮像回数としては、被写体の状況や撮影シーンに基づいて、システム制御部１０４が自動的に撮像回数を算出する構成であってもよい。
【００５９】
以降のステップＳ２０２〜Ｓ２０４の処理は、図６に図示したステップＳ１０１〜Ｓ１０３の処理と同一なので、説明は省略する。ステップＳ２０５でシステム制御部１０４は、ステップＳ２０１で検出した撮像回数に応じた露出変更量を決定する。例えば、ブラケット撮影の撮像回数が３回の場合は、各撮像の露出段差が露出の２段分（ＡＰＥＸ単位の１Ｅｖを露出の１段分として）とし、撮像回数が５回の場合は、各撮像の露出段差を露出の１段分とする。次のステップＳ２０６の処理は、図６に図示したステップＳ１０４の処理と同一なので説明は省略する。
【００６０】
次に、ステップＳ２０７でシステム制御部１０４は、ステップＳ２０５で決定した露出変更量に応じて露出制御値を変更して、ブラケット撮影における１つの撮像を行う。なお、変更すべき露出制御値は、前述したように、準自動モードにおける現在の撮影条件（内部撮影モード）に応じて、表３に示すようなテーブルデータなどの情報を参照して決定される。
【００６１】
次に、ステップＳ２０８でシステム制御部１０４は、直前に実行したステップＳ２０７の処理に対応する撮像までの撮像回数が、先に検出されたブラケット撮影の撮像回数に到達したか否かを判定する。なお、ブラケット撮影の撮像回数は、システム制御部１０４によりカウントされ、その結果がメモリ１０６の一次記録領域に展開される構成である。そして、ステップＳ２０１の処理においてブラケット撮影の撮像回数のカウントがリセットされ、ステップＳ２０７の処理が完了した段階でカウントが「＋１」される。
【００６２】
ステップＳ２０８の処理において、ブラケット撮影の撮像回数に到達していないと判断された場合は、ステップＳ２０７の処理に戻り撮像を繰り返す。また、ステップＳ２０８の処理においてブラケット撮影の撮像回数に到達していると判断された場合は、今回のブラケット撮影処理を終了する。
【００６３】
以上説明したように、本実施形態の撮像装置１００では、準自動モードにおける露出のブラケット撮影時に優先的に変更する露出制御値が、準自動モードにおける内部撮影モードに応じて決定される構成である。この構成により、本実施形態に係る撮像装置１００は、準自動モードにおける内部撮影モードと実際の撮影モードとで、優先的に変更する露出制御値を一致させることができる。
【００６４】
また、本実施形態の撮像装置１００では、準自動モードにおいてユーザが任意の露出制御値を固定値に設定したか否かに応じて、ブラケット撮影時に優先的に変更する露出制御値が異なる構成である。この場合、ユーザは、撮影モードを変更することなく、自由に固定の露出制御値を設定できるだけでなく、ユーザの意図に応じた露出制御値を固定値として、それ以外の露出制御値を優先的に変更するブラケット撮影が可能である。したがって、本実施形態の撮像装置１００は、煩雑な操作をすることなく、ユーザの意図に応じた露出のブラケット撮影を行うことができる。
【００６５】
（ハイダイナミックレンジ撮影）
次に、前述した準自動モードにおいて、ダイナミックレンジが拡大された画像を取得するために、合成用の明るさが異なる複数の画像を取得するためのハイダイナミックレンジ撮影（以下、ＨＤＲ撮影と称す）を行う場合について説明する。本実施形態の撮像装置１００は、ユーザが設定可能な項目として、所定の露出制御値を変化させて、合成用の被合成画像を得るための露出が異なる複数回の撮像を行うＨＤＲ撮影機能を備える。なお、ＨＤＲ撮影機能は、前述した撮影モードとは異なり、独立して設定することができるため、各撮影モードにおいてＨＤＲ撮影機能を設定可能である。
【００６６】
ＨＤＲ撮影機能を実行する場合、各被合成画像同士の明るさの差は、被写体を撮像して各非合成画像を取得する際に露出を異ならせることで設定される。そして、ＨＤＲ撮影の各撮像において変化させる露出制御値の対象は、撮影モードに依って異なる。表４は、撮影モードとＨＤＲ撮影時に優先的に変更する露出制御値との関係を例示的に説明する表である。表４に示すように、例えば、シャッター速度優先モードであれば、ＨＤＲ撮影時にＩＳＯ感度のみを優先して変更する。また、絞り値優先モードでは、ＨＤＲ撮影時にＩＳＯ感度を優先的に変更し、ＩＳＯ感度が設定可能な限界値に到達している場合はシャッター速度を変更して、各撮像における露出差を設定する。
【００６７】
図１０は、本発明の第１実施形態に係るシャッター速度優先モードにおけるＨＤＲ撮影時の露出制御値の変化を例示的に説明する図である。図１０に図示するように、シャッター速度優先モードにおけるＨＤＲ撮影時の１回目の撮像（基準露出）では、ユーザが設定したシャッター速度の固定値と、システム制御部１０４が自動的に設定した絞り値とＩＳＯ感度に基づいて撮像を行う。２回目の撮像（基準露出よりも露出オーバー）および、３回目の撮像（基準露出よりも露出アンダー）では、１回目の撮像時に対して、システム制御部１０４が自動的に変更したＩＳＯ感度に基づいて撮像を行う。
【００６８】
次に、準自動モードでは、内部撮影モードに応じてＨＤＲ撮影時に変更する露出制御値が異なる。例えば、準自動モードにおいて、内部撮影モードがシャッター速度優先モードであれば、ＩＳＯ感度を優先的に変更し、この状態から内部撮影モードがＩＳＯ感度優先モードに変更された場合、シャッター速度を優先的に変更してＨＤＲ撮影を行う。すなわち、準自動モードでは、設定されている内部撮影モードと同一の撮影条件となる実際の撮影モードに合わせて、ＨＤＲ撮影時に変更すべき露出制御値を設定する。換言すると、準自動モードでは、ＨＤＲ撮影時に優先的に変更する露出制御値が、ユーザにより固定値として設定された露出制御値に応じて変化する。
【００６９】
なお、この構成は、前述したブラケット撮影時と略同一であって、ＨＤＲ撮影では、明るさのダイナミックレンジが拡大された１つの画像を、ＨＤＲ撮影における各撮像により取得された被合成画像を合成することで得るという特徴がある。なお、画像の合成は撮像装置１００の内部で実行される構成であってもよいし、撮像装置１００の外部で実行される構成であってもよい。すなわち、撮像装置１００においては、ＨＤＲ撮影により、被合成画像を取得するだけの構成であってもよい。
【００７０】
図１１は、本発明の第１実施形態に係る準自動モードにおけるＨＤＲ撮影処理に関するフローチャートである。まず、ステップＳ３０１でシステム制御部１０４は、ユーザが設定したＨＤＲ撮影に係る各種の設定を検出する。なお、ＨＤＲ撮影に係る各種の設定としては、例えば、ＨＤＲ撮影における撮像回数（被合成画像の取得数）と各画像の露出段差などがある。
【００７１】
例えば、ＨＤＲ撮影の撮像回数および露出段差は、撮像装置１００のメニュー表示などに基づいてユーザが任意の値を事前に設定できる構成であってもよいし、撮像装置１００において予め定められたものを使用できる構成であってもよい。また、被写体の輝度値などに基づいて、システム制御部１０４が自動的に撮像回数および露出段差を算出する構成であってもよい。
【００７２】
なお、本実施形態では、１つのＨＤＲ画像を生成するために用いる被合成画像は、適正露出画像と、当該適正露出に対するオーバー露出画像およびアンダー露出画像の計３つとし、一連のＨＤＲ撮影における３回の撮像を撮像回数の基準とする。そして、露出段差としては、合成後の画像（ＨＤＲ画像）１つのダイナミックレンジが、所望するダイナミックレンジとなるような露出段差であればよい。
【００７３】
以降のステップＳ３０２〜Ｓ３０４の処理は、図６に図示したステップＳ１０１〜Ｓ１０３の処理と同一なので、説明は省略する。ステップＳ３０５でシステム制御部１０４は、ステップＳ３０１で検出した撮像回数および露出段差に応じた露出変更量を決定する。次のステップＳ３０６の処理は、図６に図示したステップＳ１０４の処理と同一なので説明は省略する。
【００７４】
次に、ステップＳ３０７でシステム制御部１０４は、ステップＳ３０５で決定した露出変更量に応じて露出制御値を変更して、ＨＤＲ撮影における１つの撮像を行う。なお、変更すべき露出制御値は、前述したように、準自動モードにおける現在の撮影条件（内部撮影モード）に応じて、表４に示すようなテーブルデータなどの情報を参照して決定される。以降のステップＳ３０８の処理は、図９に図示したステップＳ２０８の処理と略同一なので説明は省略する。
【００７５】
なお、ＨＤＲ撮影では、前述したブラケット撮影とは異なり、何れの撮影モードおよび内部撮影モードにおいても、露出段差を設定するために絞り値を変更することはない。例えば、絞り値を変更してＨＤＲ撮影を行うと、絞り値の違いに応じて被写界深度も異なるため、絞り値を異ならせて得られた複数の被合成画像を合成すると、合成後のＨＤＲ画像の品位が低下する虞がある。したがって、本実施形態のＨＤＲ撮影時は、ＨＤＲ画像の品位の低下を防止するために、何れの撮影モード等においても、絞り値以外の露出制御値を優先して変化させて露出段差を設定する構成としている。なお、他の露出制御値が設定可能な限界値に到達している場合などに、絞り値を異ならせてＨＤＲ撮影を行う構成であってもよい。
【００７６】
以上説明したように、本実施形態の撮像装置１００では、準自動モードにおけるＨＤＲ撮影時に優先的に変更する露出制御値が、準自動モードにおける内部撮影モードに応じて決定される構成である。この構成により、本実施形態に係る撮像装置１００は、準自動モードにおける内部撮影モードと実際の撮影モードとで、優先的に変更する露出制御値を一致させることができる。したがって、本実施形態の撮像装置１００は、他の撮影モードと、当該他の撮影モードと撮影条件が同じ準自動モードの双方で、異なる明るさのＨＤＲ画像（または被合成画像）が得られるということを防止することができる。
【００７７】
また、本実施形態の撮像装置１００では、準自動モードにおいてユーザが任意の露出制御値を固定値に設定したか否かに応じて、ＨＤＲ撮影時に優先的に変更する露出制御値が異なる構成である。この場合、ユーザは、撮影モードを変更することなく、自由に固定の露出制御値を設定できるだけでなく、ユーザの意図に応じた露出制御値を固定値として、それ以外の露出制御値を優先的に変更するＨＤＲ撮影が可能である。したがって、本実施形態の撮像装置１００は、煩雑な操作をすることなく、ユーザの意図に応じたＨＤＲ撮影を行うことができる。
【００７８】
（発光撮影）
画像の明るさを決める要因としては、前述した露出制御値だけでなく、発光装置である内蔵ストロボ１１９や外部ストロボなどによる被写体の照明を考慮する必要がある。一般的に、これらの発光装置の設定としては、発光有無を装置側で自動的に判定する自動発光モードと、ユーザの操作入力に応じて発光有無を強制的に決定する強制非発光モードおよび強制発光モードを設定可能である。そして、これらの発光モードは、本実施形態の撮像装置１００においても設定可能であって、前述した撮影モードとは独立して設定できる。
【００７９】
また、発光装置を用いた発光撮影の手法として、通常の発光撮影時よりも撮像素子における露光時間を長く設定する撮影手法（所謂スローシンクロ撮影）が知られている。このスローシンクロ撮影を行うことで、発光装置から近い被写体だけが明るく照明され、発光が届かない背景部分が黒潰れすることを抑制することができる。そして、本実施形態の撮像装置１００においても、スローシンクロ撮影機能を設定可能であって、前述した発光モードのうち、自動発光モードと強制発光モードにおいて発光装置に関するメニュー画面で設定可能である。
【００８０】
表５は、撮影モードと発光撮影時の機能の関係を説明する表である。発光モードのうち、自動発光モードは、被写体の輝度値に応じた露出制御を鑑みた調光制御によって、システム制御部１０４（または外部ストロボが備えるストロボ制御部（不図示））によって、被写体の明るさに応じた発光有無が制御される。すなわち、内蔵ストロボおよび外部ストロボの発光は、露出制御値との関係を鑑みて決定する必要がある。したがって、表５に示すように、本実施形態では、各露出制御値を撮像装置１００側において自動的に設定する全自動モードにおいて自動発光モードを設定可能としている。
【００８１】
なお、全自動モードの他に、絞り値優先モードにおいても自動発光モードを設定可能な構成であってもよい。内蔵ストロボ１１９および外部ストロボの発光とシャッター速度との同調を考慮した場合、発光撮影時に設定可能なシャッター速度の最短時間は、非発光撮影時に設定可能なシャッター速度の最短時間よりも長い（低速側に制限される）。そのため、シャッター速度優先モードやマニュアルモードにおいては、ユーザが設定したシャッター速度の固定値が、発光撮影可能な最短時間よりも高速であると、発光撮影により得られる画像の明るさが不自然となる場合がある。したがって、シャッター速度に制限が必要な撮影条件が発生し得る撮影モードにおいては自動発光モードを設定不可とし、それ以外（全自動モード、絞り値優先モード）においては自動発光モードを設定可能としてもよい。
【００８２】
また、発光装置による発光との同調を考慮してシャッター速度を設定する必要がある。したがって、本実施形態の撮像装置１００では、表５に示すように、固定のシャッター速度を設定できるシャッター速度優先モードやマニュアルモードでは、スローシンクロ撮影機能は設定不可とする。なお、本実施形態では、発光撮影可能なシャッター速度の最短時間を１／２００秒とし、発光撮影時の基準とするシャッター速度を１／６０秒とする。
【００８３】
ここで、準自動モードにおいては、前述したように、他の撮影モードと同一の撮影条件となるように露出制御値を自由に設定することができる。この場合、準自動モードでは、自動発光モードおよびスローシンクロ撮影機能を設定できる撮影モード（例えば、全自動モード）と、設定できない撮影モード（例えば、シャッター速度優先モード）と同一の撮影条件を、１つの撮影モードにおいて設定できる。
【００８４】
しかしながら、１つの撮影モードにおいて、ユーザが手動で設定した露出制御値に応じて、発光撮影の種々の条件が変化してしまうと、ユーザに混乱を与える虞がある。例えば、準自動モードにおいても、内部撮影モードが全自動モードである場合に、ユーザが自動発光モードを設定したにも関わらず、ユーザがシャッター速度を固定値に設定したことに応じて自動発光モードが解除されてしまうと、ユーザに混乱を与えてしまう。また、例えば、準自動モードにおいても、ユーザがスローシンクロ撮影機能を設定したにも関わらず、ユーザが任意の露出制御値を固定値にしたことに応じてスローシンクロ撮影ができなくなると、ユーザに混乱を与えてしまう。
【００８５】
そこで、表５に示すように、本実施形態の撮像装置１００では、準自動モードにおいて、自動発光モードおよびスローシンクロ撮影機能を設定不可とする。換言すると、本実施形態の撮像装置１００では、露出制御値の自動設定および固定値の設定に依らず、撮影モードに応じて発光装置の機能制限を制御する構成である。すなわち、本実施形態では、自動発光モードおよびスローシンクロ撮影機能の設定有無は、撮像装置１００に設定されている撮影モードに応じて制御する。この構成により、本実施形態の撮像装置１００は、準自動モードにおける露出制御値の設定に応じて、発光装置の種々の設定が変化することを防止することができるため、ユーザに違和感を与えることを抑制することができる。
【００８６】
（適正露出へのセーフティシフト機能）
従来、ユーザが設定した固定の露出制御値では、被写体の輝度値に対応した適正露出とならない場合に、撮像装置が自動的にユーザにより設定された固定値を変更する機能（以下、セーフティシフト機能と称す）が知られている。
【００８７】
前述したように、準自動モードは、撮影モードを変更することなく、ユーザが任意の露出制御値を撮像装置１００により自動設定可能な状態から固定値に変更できる撮影モードである。また、撮像装置１００の内部には、被写体の輝度値に応じた適正露出と定める基準に関する情報が予め格納されており、例えば、全自動モードでは、被写体の輝度値に基づいて撮像装置の露出が適正露出となるように各種の露出制御値を調整する。しかしながら、準自動モードにおいて、ユーザが設定した固定値では適正露出とならない場合に、前述のセーフティシフト機能によって露出制御値が変更されることで各露出制御値が変化してしまう場合があり、この場合、ユーザに違和感を与えてしまう。
【００８８】
そこで、本実施形態の撮像装置１００は、準自動モードにおいて、セーフティシフト機能が動作しないような構成となっている。以下、この詳細について図１２〜図１４を参照して説明する。図１２は、本発明の第１実施形態に係るセーフティシフト設定処理について説明するフローチャートである。撮像装置１００の電源がオンされたことに応じて、ステップＳ４０１でシステム制御部１０４は、現在設定されている撮影モード（実際の撮影モード）を検出する。なお、現在設定されている撮影モードに関する情報は、記録部１１５もしくはメモリ１０６の記憶領域に記憶され、撮影モードが設定されるごとに情報が更新される。
【００８９】
次に、ステップＳ４０２でシステム制御部１０４は、記録部１１５からセーフティシフト設定値を取得する。このセーフティシフト設定値は、セーフティシフトモードに関する情報を含む。本実施形態の撮像装置１００は、シャッター速度または絞り値を変更して適正露出を設定するＴｖ／Ａｖセーフティシフトモードと、ＩＳＯ感度を変更して適正露出を設定するＩＳＯセーフティシフトモードを備える。さらに、本実施形態では、セーフティシフト機能を実行しないセーフティシフトＯＦＦ（モード）を備える。
【００９０】
次に、ステップＳ４０３でシステム制御部１０４は、被写体の測光開始が指示されているか否かを判定する。なお、本実施形態では、撮像準備指示に応じて被写体を測光するため、ステップＳ４０３でシステム制御部１０４は、撮像指示部１１０の操作に応じた撮像準備指示がされているか否かを判定する。測光開始が指示されている場合、ステップＳ４０４でシステム制御部１０４は、前述した方法に基づいて、被写体の輝度値を取得する。また、測光開始が指示されていない場合は、ステップ４０７に進み、後述するセーフティシフト解除処理を実行する。
【００９１】
ステップＳ４０５でシステム制御部１０４は、現在の撮影モードに応じて、ステップＳ４０４で取得した輝度値に基づいて露出制御を実行し、制御後の露出制御値が適正露出となるか否かを判定する。ステップＳ４０５の処理で適正露出にならないと判定された場合は、ステップＳ４０６に進み、後述するセーフティシフト処理を実行する。また、ステップＳ４０５の処理で適正露出となると判定された場合はセーフティシフト設定処理を終了する。
【００９２】
次に、図１３を参照して、本実施形態の撮像装置１００におけるセーフティシフト処理について説明する。図１３は、本発明の第１実施形態に係るセーフティシフト処理について説明するフローチャートである。前述したステップＳ４０６の処理に進み、セーフティシフト処理が開始されると、ステップＳ５０１でシステム制御部１０４は、前述したステップＳ４０１の処理で検出した撮影モードが準自動モードであるか否かを判定する。また、システム制御部１０４は、前述したステップＳ４０２の処理で検出したセーフティシフト設定値に基づいて、セーフティシフトＯＦＦが設定されているか否かを判定する。撮影モードが準自動モードであるかセーフティシフトＯＦＦが設定されているかの少なくとも１つに該当する場合は、セーフティシフト処理を終了する。すなわち、撮像装置１００において、撮影モードが準自動モードである場合とセーフティシフト機能を実行しない設定である場合は、セーフティシフト機能を実行しない。
【００９３】
次に、ステップＳ５０２でシステム制御部１０４は、前述したステップＳ４０１の処理で検出した撮影モードがシャッター速度優先モード、絞り値優先モード、ＩＳＯ感度優先モードの何れであるか否かを判定する。ステップＳ５０２の処理で撮影モードが上述した何れかのモードではない（ステップＳ５０２でＹＥＳ）と判定された場合は、セーフティシフト処理を終了する。
【００９４】
換言すると、撮影モードが全自動モードまたはマニュアルモードの場合はセーフティシフト機能を実行しない。これは、マニュアルモードの場合は、ユーザが設定した固定値が、セーフティシフト機能を実行することでずれるため、ユーザに違和感を与える虞があるためである。また、全自動モードでは、全ての露出制御値が撮像装置１００において自動的に値を設定することができるため、撮像装置１００において設定し得る適正露出に自動的に設定されるためである。
【００９５】
次に、ステップＳ５０３でシステム制御部１０４は、前述したステップＳ４０２の処理で検出したセーフティシフト設定値に基づいて、セーフティシフトモードがＩＳＯセーフティシフトモードであるか否かを判定する。ステップＳ５０３の処理で、ＩＳＯセーフティシフトモードであると判定された場合、ステップＳ５０４でシステム制御部１０４は、現在設定されているＩＳＯ感度を記録部１１５に記録する。そして、ステップＳ５０５でシステム制御部１０４は、適正露出となるようにＩＳＯ感度を変更する。
【００９６】
また、ステップＳ５０３の処理で、ＩＳＯセーフティシフトモードではないと判定された場合、ステップＳ５０６でシステム制御部１０４は、現在設定されているシャッター速度と絞り値を記録部１１５に記録する。そして、ステップＳ５０７でシステム制御部１０４は、適正露出となるようにシャッター速度および絞り値の少なくとも一方を変更する。以上が本実施形態のセーフティシフト処理である。なお、ステップＳ５０３の処理を実行する際に、セーフティシフト対象の判定に依らず、セーフティシフトＯＦＦが設定されている場合は、セーフティシフト処理を終了する。
【００９７】
次に、図１４を参照して、前述したセーフティシフト解除処理について説明する。図１４は、本発明の実際形態に係るセーフティシフト解除処理を説明するフローチャートである。前述したステップＳ４０７の処理に進み、セーフティシフト解除処理が開始されると、ステップＳ６０１でシステム制御部１０４は、前述したステップＳ５０４の処理でＩＳＯ感度が記録されているか否かを判定する。ステップＳ６０１の処理でＩＳＯ感度が記録されていると判定された場合、ステップＳ６０２でシステム制御部１０４は、記録部１１５に記録されているＩＳＯ感度（最新）を読み出し、新たに露出制御値として設定する。
【００９８】
次に、ステップＳ６０１の処理でＩＳＯ感度が記録されていないと判定された場合、ステップＳ６０３でシステム制御部１０４は、ステップＳ５０６の処理でシャッター速度、絞り値が記録されているか否かを判定する。ステップＳ６０３の処理でシャッター速度・絞り値が記録されていると判定された場合、ステップＳ６０４でシステム制御部１０４は、記録部１１５に記録されているシャッター速度または（および）絞り値（最新）を読み出し、新たに露出制御値として設定する。なお、記録済みの露出制御値が存在しない（記録されていない）場合（ステップＳ６０３の判定がＮＯ）、セーフティシフト解除処理を終了する。最後に、ステップＳ６０５でシステム制御部１０４は、記録部１１５に記録されている最新の露出制御値を消去（クリア）し、セーフティシフト解除処理を終了する。
【００９９】
以上説明したように、本実施形態の撮像装置１００は、撮影モードが準自動モードである場合は、露出制御に係るセーフティシフト機能は実行されない。したがって、例えば、準自動モードにおける内部撮影モードがシャッター速度優先モードであっても、実際の撮影モードがシャッター速度優先モードである場合とは異なり、セーフティシフト機能は実行されない。したがって、本実施形態の撮像装置１００は、準自動モードやマニュアルモードなど、ユーザが意図して設定した露出制御値がセーフティシフト機能によって変化することで、ユーザに違和感を与えることを防止することができる。
【０１００】
（第２実施形態）
前記した第１実施形態では、撮像装置１００の撮影モードとして準自動モード以外の撮影モードを備える構成について説明した。本実施形態では、撮像装置１００の撮影モードとして、主に準自動モードのみを備える場合について説明する。すなわち、本実施形態に係る撮像装置１００は、露出制御値の自動設定有無および手動で設定される固定の露出制御値の組合せについて、同一の撮影条件を設定し得る撮影モードは１つのみである。なお、本実施形態に係る撮像装置１００については、前述した第１実施形態の撮像装置１００と同一の構成および部材については説明を省略し同一の符号および部番を付す。
【０１０１】
図１５は、本発明の第２実施形態に係る露出制御値の表示例を説明する図である。図１５（ａ）は、表示部１０３に表示される各種の機能アイコンを含むＧＵＩの一例である。図１５（ｂ）は、ユーザがシャッター速度を任意の値に設定していることを例示的に説明する図である。
【０１０２】
図１５（ａ）に図示するように、本実施形態のシャッター速度表示部１３０２、絞り値表示部１３０３、ＩＳＯ感度表示部１３０４、露出メーター表示部１３０５は、前述した第１実施形態で説明した各機能アイコン（図３参照）と同一の機能を備える。本実施形態おいて前述した第１実施形態とは異なるのは、撮影モード表示部に対応する機能アイコンが表示部１０３に表示されるＧＵＩから除かれている点である。
【０１０３】
図１５（ｂ）に図示するように、ユーザ任意の露出制御値を選択した場合、選択対象の露出制御値に係る具体的な数値を選択可能な機能アイコンとして、露出決定アイコン１３０６が新たに表示部１０３に表示される。また、図１５（ｂ）に図示するように、露出決定アイコンにおいてユーザ操作入力可能な項目として、予め定められた固定値と、撮像装置１００により自動的に露出制御値を決定するための項目（「ＡＵＴＯ」）として自動設定値がある。
【０１０４】
したがって、ＧＵＩ表示に従う本実施形態に係るユーザの操作入力方法としては、まず、ユーザは、表示部１０３に表示されるＧＵＩのうち、自身の手動操作により変更したい露出制御値に該当する領域（機能アイコン）を選択（例えば、タッチ操作）する。次に、選択した項目に対応した新たな機能アイコンとして、露出決定アイコン１３０６が表示部１０３に表示される。この露出決定アイコン１３０６のうち、ユーザが任意の固定値に対応する領域または自動設定値に対応する領域を選択することで、システム制御部１０４により、撮像装置１００における露出制御値の変更が行われる。
【０１０５】
なお、露出制御値として自動設定値が選択されている場合は、対応する露出制御値の機能アイコンにおいて下線が付され（図１５（ａ）参照）、露出制御値として固定値が選択されている場合は、この下線は付されない（図１５（ｂ）のシャッター速度参照）。例えば、ユーザが任意の露出制御値について固定値を設定している状態から、前述した方法によって、露出制御値を自動設定値に変更するには、対応する露出制御値のアイコンを選択したうえで、露出決定アイコン１３０６に基づく操作が必要となる。
【０１０６】
この場合、最低でも、ユーザによる２回の操作入力（タッチ操作）が必要となり、露出制御値の変更に時間が掛かる場合が起こりうる。そこで、本実施形態では、ユーザがリセット入力部１１３を操作することで、全ての露出制御値が自動設定値に設定された状態へと遷移させることができる構成を採用する。この構成により、煩雑な操作を必要とせず、撮像装置１００の状態を、システム制御部１０４による露出制御値の自動設定が可能な状態へと遷移させることができる。したがって、例えば、ユーザとして、撮像装置の判断に任せて各露出制御値を仮決定した後に、自身の意図に基づいて、任意の露出制御値を固定値に変更させる操作を行う場合であっても、ユーザの意図に応じて即座に露出制御値を設定することができる。
【０１０７】
なお、準自動モードでは、固定値と自動設定値の組合せに応じて、自動設定値が設定された露出制御値について、露出制御時に優先的に変更される露出制御値が異なる。表６は、準自動モードにおける自動設定可能な露出制御値の優先度を例示的に説明する表である。
【０１０８】
また、準自動モードでは、各露出制御値の値を変更するだけでなく、露出補正量を変更することもできる。図１６は、本発明の第２実施形態に係る露出メーター表示部１３０５の拡大図である。図１６に図示するように、基準位置から任意の露出補正量について露出補正する場合、準自動モードでは、自動設定値に設定さえている露出制御値の中から、露出補正に用いる露出制御値を決める。表７は、準自動モードにおける露出補正に用いる露出補正値の優先度を例示的に説明する表である。
【０１０９】
表６および表７に示すように、準自動モードでは、ＩＳＯ感度を自動設定可能な場合はＩＳＯ感度を優先的に変更し、次に、シャッター速度を優先的に変更する。これは、露出制御値のうち、ＩＳＯ感度が、ユーザの意図に対して取得される画像の変化が相対的に小さく、また、絞りなどの機械的な構成を駆動する場合に比べて露出制御値の変更に要する時間が相対的に短いためである。なお、表６および表７に示す条件は一例であって、これ以外の露出制御値を優先的に変更および露出補正に優先的に用いる構成であってもよい。なお、表６および表７に示す条件は、前述した第１実施形態および本実施形態で共通の条件である。
【０１１０】
以上、本発明の好ましい実施形態について説明したが、本発明はこれらに限定されず、その要旨の範囲内で種々の変形および変更が可能である。例えば、前述した実施形態では、露出制御値としてシャッター速度、絞り値およびＩＳＯ感度について説明したが、他の要素に係る露出制御値を加える構成であってもよい。例えば、撮像装置１００または交換レンズ２００の内部において、撮像素子１０１に入射する光量を減光するＮＤフィルタなどの減光手段を設ける構成であれば、ＮＤフィルタの濃度に係る露出制御値を鑑みて露出制御を行う構成であってもよい。
【０１１１】
また、前述した実施形態では、表示部１０３にＧＵＩを表示し、当該ＧＵＩにおける機能アイコンをユーザが操作入力することに応じて、準自動モードにおける自由な露出制御値に係る設定を可能とする構成であったが、これに限定されるものではない。例えば、撮像装置１００に設けられたダイヤル等の機械的な操作が可能な操作部材をユーザが操作することで、準自動モードにおける露出制御値に係る設定を可能とする構成であってもよい。
【０１１２】
また、前述した実施形態では、露出制御値に関する設定が異なる撮影モードを備える構成について説明したが、前述した各撮影モードに相当する撮影条件はモードとして設定され得るものに限定されない。例えば、前述した撮影モードに相当する撮影条件をユーザが選択または設定可能な形態であれば、どのような構成を採用してもよい。具体的に、撮影モードがマニュアルモードであって、撮影モードとは別に設定可能なメニューとしてＩＳＯ感度を固定値に設定可能な項目を設けた場合、この撮影条件は前述したＩＳＯ感度優先モードと略同一の撮影条件となる。
【０１１３】
すなわち、前述した実施形態では、露出制御値の設定が異なる撮影条件のうち、各露出制御値について固定値と自動設定値の組合せが予め設定された撮影条件のそれぞれをモードと称した。これに対して、準自動モードにおいては、固定値と自動設定値の組合せを一括で変更することなく、個々の露出制御値について、ユーザが任意に固定値と自動設定値の組合せおよび、固定値の実際の値を設定可能である。そして、準自動モードにおいて、各露出制御値の設定が個々に変更された結果を内部撮影モードと称した。
【０１１４】
また、前述した実施形態では、表示部１０３として、撮像装置１００の一側面（主に背面）に配された表示装置を想定したが、例えば、ユーザが接眼可能な電子ビューファインダ（ＥＶＦ）に前述したＧＵＩ表示を行う構成であってもよい。すなわち、露出制御値に係る種々の機能アイコンを表示する手段は、種々の変形および変更例に適用可能である。
【０１１５】
また、前述した実施形態では、システム制御部１０４やメモリ１０６など、撮像装置１００および交換レンズ２００を構成する各部が互いに連携して動作することで、撮像装置全体としての動作を制御する構成であったが、これに限定されるものではない。例えば、前述した各図に図示したフローに従った（コンピュータ）プログラムを予めメモリ１０６などに格納しておく。そして、当該プログラムを、マイクロコンピュータを含むシステム制御部１０４などが実行することで、撮像装置１００および交換レンズ２００の動作を制御するような構成であってもよい。また、プログラムの機能を有していれば、オブジェクトコード、インタプリタにより実行されるプログラム、ＯＳに供給するスクリプトデータ等、プログラムの形態を問わない。また、プログラムを供給するための記録媒体としては、例えば、ハードディスク、磁気テープ等の磁気記録媒体、光／光磁気記録媒体でもあってもよい。
【０１１６】
また、前述した実施形態では、本発明を実施する撮像装置の一例として撮像装置１００である撮像装置本体と交換レンズ２００とがそれぞれ個別である、所謂レンズ交換式の撮像装置について説明したが、これに限定されるものではない。例えば、撮像装置本体と撮影レンズユニットとが一体的に形成された、所謂レンズ一体側の撮像装置を、本発明を実施する撮像装置としてもよい。
【０１１７】
また、前述した実施形態では、本発明を実施する撮像装置の一例としてデジタルカメラを想定して説明したが、これに限定されるものではない。例えば、デジタルビデオカメラやスマートフォンなどの可搬デバイスやウェアラブル端末、セキュリティーカメラなど、デジタルカメラ以外の撮像装置を採用する構成であってもよい。
【０１１８】
（その他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【０１１９】
【表１】
2020010316.tif 000003
【０１２０】
【表２】
2020010316.tif 000004
【０１２１】
【表３】
2020010316.tif 000005
【０１２２】
【表４】
2020010316.tif 000006
【０１２３】
【表５】
2020010316.tif 000007
【０１２４】
【表６】
2020010316.tif 000008
【０１２５】
【表７】
2020010316.tif 000009
【符号の説明】
【０１２６】
１００  撮像装置
１０１  撮像素子
１０２  シャッター
１０３  表示部
１０４  システム制御部
２００  交換レンズ
２０７  絞り
【図１】
2020010316.tif 000010
【図２】
2020010316.tif 000011
【図３】
2020010316.tif 000012
【図４】
2020010316.tif 000013
【図５】
2020010316.tif 000014
【図６】
2020010316.tif 000015
【図７】
2020010316.tif 000016
【図８】
2020010316.tif 000017
【図９】
2020010316.tif 000018
【図１０】
2020010316.tif 000019
【図１１】
2020010316.tif 000020
【図１２】
2020010316.tif 000021
【図１３】
2020010316.tif 000022
【図１４】
2020010316.tif 000023
【図１５】
2020010316.tif 000024
【図１６】
2020010316.tif 000025